(57)【要約】【課題】適切な輝度を実現する照光装置及びスイッチ装置を提供する。【解決手段】  スイッチ装置（照光装置）１０は、光源４２と、光源４２からの光を被照射領域２２に導く筒状のスライダ（導光部）３０と、を備える。スライダ３０は、一方の第１の開口３６に入射された光源４２からの光をスライダ３０の内周面３３で反射して被照射領域２２に対向する他方の第２の開口３８に導く導光路３４を有し、導光路３４は、第１の開口３６から第２の開口３８に近づくほど細くなる。【選択図】図８
2017123256.tif 000002
【特許請求の範囲】
【請求項１】
光源と、前記光源からの光を被照射領域に導く筒状の導光部と、を備える照光装置であって、
前記導光部は、一方の第１の開口に入射された前記光源からの光を前記導光部の内周面で反射して前記被照射領域に対向する他方の第２の開口に導く導光路を有し、
前記導光路は、前記第１の開口から前記第２の開口に近づくほど細くなる、
照光装置。
【請求項２】
前記導光路は、導光方向に対して略直交する断面が略円形又は略楕円形であり、
前記断面は、前記第１の開口から前記第２の開口に近づくほど径が小さくなる、
請求項１の照光装置。
【請求項３】
前記導光部は、略直方体の部材に少なくとも前記導光路が形成された形状を有する請求項２の照光装置。
【請求項４】
前記導光部は、前記第１の開口から前記第２の開口に近づくほど肉厚が厚くなる、
請求項１ないし３いずれかの照光装置。
【請求項５】
前記被照射領域を含む被照射部材をさらに備え、
前記被照射部材は、前記被照射領域が前記第２の開口に対向するように前記第２の開口を塞いでおり、前記第２の開口を塞ぐ部分の前記光源側に１又は複数の凸レンズが設けられている、
請求項１ないし４いずれかの照光装置。
【請求項６】
被照射領域を含む操作ノブと、
一方の端部が前記操作ノブに連結しており、前記操作ノブの押下操作に応じて移動するように構成された筒状のスライダと、
光源と、
前記スライダの移動に応じて前記スライダの他方の端部に押されてオンされるように配置された１又は複数のスイッチと、
を備え、
前記スライダは、一方の第１の開口に入射された前記光源からの光を前記スライダの内周面で反射して前記被照射領域に対向する他方の第２の開口に導く導光路を有し、
前記導光路は、前記第１の開口から前記第２の開口に近づくほど細くなる、
スイッチ装置。
【請求項７】
前記スライダは、略直方体の部材に少なくとも前記導光路が形成された形状を有し、
前記導光路は、導光方向に対して略直交する断面が略円形又は略楕円形である、
請求項６のスイッチ装置。
【請求項８】
前記１又は複数のスイッチは、前記スライダの前記他方の端部の第１の位置で押されるように配置されている第１のスイッチと、前記スライダの前記他方の端部の第２の位置で押されるように配置されている第２のスイッチと、を含み、
前記第１の位置及び前記第２の位置は、前記他方の端部の中心を基準として略点対称の関係にある、
請求項６又は７のスイッチ装置。
【発明の詳細な説明】
【技術分野】
【０００１】
本発明は、照光装置及びスイッチ装置に関するものである。
【背景技術】
【０００２】
従来、例えば電子機器の操作部等は照光機能を備えたものが多い。こうした機器は、典型的には、光源からの光が操作部等の特定の領域（例えば、特定の図形、文字、記号等が表示されている領域）に照射されるように構成されている。例えば、特許文献１には、筐体の少なくとも一部を、光源から入射した光を照光部に導くことが可能な導光部とすることにより、部品点数を減らすことを可能とした電子機器が開示されている。また、例えば、特許文献２には、棒状体で形成された導光性キートップの近傍に光源を配設すること等により、構成部品数を減少させることを可能とした導光機能付きスイッチが開示されている。
【先行技術文献】
【特許文献】
【０００３】
【特許文献１】特開２０１０−１８２４２１号公報
【特許文献２】特開２００２−２０８３２６号公報
【発明の概要】
【発明が解決しようとする課題】
【０００４】
しかしながら、上述した従来の機器は、部品数を減らすことを可能とするものの、光が照射される被照射領域における輝度ムラについて考慮されていない。したがって、操作部等の照光を要する領域において十分な輝度を得られないという不利益が生じ得る。
【０００５】
本発明はかかる事情に鑑みてなされたものであり、その目的は、適切な輝度を実現する照光装置及びスイッチ装置を提供することにある。
【課題を解決するための手段】
【０００６】
本発明は、光源と、前記光源からの光を被照射領域に導く筒状の導光部と、を備える照光装置であって、前記導光部は、一方の第１の開口に入射された前記光源からの光を前記導光部の内周面で反射して前記被照射領域に対向する他方の第２の開口に導く導光路を有し、前記導光路は、前記第１の開口から前記第２の開口に近づくほど細くなる、照光装置である。
【０００７】
この構成によれば、被照射領域に対向する第２の開口に光を導く導光路が第１の開口から第２の開口に近づくほど細くなるから、効率的に被照射領域に光を導くことができる。この結果、被照射領域における輝度ムラを低減し、適切な輝度を実現することができる。
【０００８】
好適には本発明の照光装置は、前記導光路は、導光方向に対して略直交する断面が略円形又は略楕円形であり、前記断面は、前記第１の開口から前記第２の開口に近づくほど径が小さくなる。
【０００９】
この構成によれば、導光路の断面が多角形等である場合と比較して、より効率的に被照射領域に光を導くことができる。この結果、被照射領域における輝度ムラをより一層低減し、適切な輝度を実現することができる。
【００１０】
好適には本発明の照光装置は、前記導光部は、略直方体の部材に少なくとも前記導光路が形成された形状を有する。
【００１１】
この構成によれば、略直方体の部材を本発明の導光部として適用することができる。
【００１２】
好適には本発明の照光装置は、前記導光部は、前記第１の開口から前記第２の開口に近づくほど肉厚が厚くなる。
【００１３】
この構成によれば、被照射領域に近づくほど導光部の肉厚を厚くすることができる。
【００１４】
好適には本発明の照光装置は、前記被照射領域を含む被照射部材をさらに備え、前記被照射部材は、前記被照射領域が前記第２の開口に対向するように前記第２の開口を塞いでおり、前記第２の開口を塞ぐ部分の前記光源側に１又は複数の凸レンズが設けられている。
【００１５】
この構成によれば、第２の開口を塞ぐ部分に設けられた凸レンズが光を集光するから、被照射領域における輝度ムラをより一層低減し、適切な輝度を実現することができる。
【００１６】
本発明は、被照射領域を含む操作ノブと、一方の端部が前記操作ノブに連結しており、前記操作ノブの押下操作に応じて移動するように構成された筒状のスライダと、光源と、前記スライダの移動に応じて前記スライダの他方の端部に押されてオンされるように配置された１又は複数のスイッチと、を備え、前記スライダは、一方の第１の開口に入射された前記光源からの光を前記スライダの内周面で反射して前記被照射領域に対向する他方の第２の開口に導く導光路を有し、前記導光路は、前記第１の開口から前記第２の開口に近づくほど細くなる、スイッチ装置である。
【００１７】
この構成によれば、被照射領域に対向する第２の開口に光を導く導光路が第１の開口から第２の開口に近づくほど細くなるから、効率的に被照射領域に光を導くことができる。この結果、被照射領域における輝度ムラを低減し、適切な輝度を実現することができる。
【００１８】
好適には本発明のスイッチ装置は、前記スライダは、略直方体の部材に少なくとも前記導光路が形成された形状を有し、前記導光路は、導光方向に対して略直交する断面が略円形又は略楕円形である。
【００１９】
この構成によれば、略直方体の部材を本発明のスライダとして適用することができる。また、導光路の断面が多角形等である場合と比較して、より効率的に光を導くことができる。この結果、被照射領域における輝度ムラをより一層低減し、適切な輝度を実現することができる。
【００２０】
好適には本発明のスイッチ装置は、前記１又は複数のスイッチは、前記スライダの前記他方の端部の第１の位置で押されるように配置されている第１のスイッチと、前記スライダの前記他方の端部の第２の位置で押されるように配置されている第２のスイッチと、を含み、前記第１の位置及び前記第２の位置は、前記他方の端部の中心を基準として略点対称の関係にある。
【００２１】
この構成によれば、第１及び第２のスイッチをそれぞれ押す第１及び第２の位置が、スライダの端部の中心を基準として略点対称の関係にあるから、例えば、操作ノブがその中心から偏った位置で押下操作された場合等であっても、第１のスイッチ及び第２のスイッチの少なくとも一方がオンされ易くなる。
【発明の効果】
【００２２】
本発明によれば、適切な輝度を実現する照光装置及びスイッチ装置を提供することができる。
【図面の簡単な説明】
【００２３】
【図１】本発明の実施形態に係るスイッチ装置の斜視図である。
【図２】図１のスイッチ装置の正面図である。
【図３】図１のスイッチ装置の操作ノブの背面図である。
【図４】図２のスイッチ装置のｉ−ｉ線における断面図である。
【図５】図４のスイッチ装置のｉｉ−ｉｉ線における断面図である。
【図６】図４のスイッチ装置のｉｉｉ−ｉｉｉ線における断面図である。
【図７】図１のスイッチ装置の回路基板の正面図である。
【図８】図４のスイッチ装置において光が導光される様子を模式的に示す図である。
【図９】レンズアレイの変形例を示す図である。
【図１０】レンズアレイの変形例を示す図である。
【図１１】レンズアレイの変形例を示す図である。
【図１２】レンズアレイの変形例を示す図である。
【図１３】レンズアレイの変形例を示す図である。
【図１４】レンズアレイの変形例を示す図である。
【図１５】レンズアレイの変形例を示す図である。
【図１６】レンズアレイの変形例を示す図である。
【図１７】レンズアレイの変形例を示す図である。
【図１８】レンズアレイの変形例を示す図である。
【発明を実施するための形態】
【００２４】
以下、本発明の実施形態に係るスイッチ装置（照光装置）について説明する。図１は、本実施形態のスイッチ装置１０の斜視図である。スイッチ装置１０は、例えば、図示しない車両のダッシュボード等に取り付けられて使用され、操作者による操作に応じてハザードランプ等の機器のスイッチがオン／オフされるように構成される。
【００２５】
本明細書において、上下、左右、前後方向は、説明の便宜上規定するものであって、実際の使用時おける方向を限定するものではない。本明細書で説明に用いられる用語は、各構成要素の概略の形状を説明するために使用されており、説明に使用される用語は、「略」という言葉があるかないかにかかわらず、各構成要素が厳密にその形状のみに限定されるわけではない。
【００２６】
スイッチ装置１０は、図１に示すように、操作者によって押下操作される操作ノブ（被照射部材）２０と、一方の端部（前方側の端部）が操作ノブ２０と連結しているスライダ（導光部）３０と、スライダ３０の他方の端部側（後方側）に位置する回路基板４０と、を備える。スイッチ装置１０は、図示しないハウジング内に取り付けられる。具体的には、スイッチ装置１０の回路基板４０は、ハウジングに対して固定され、スライダ３０（及びこれに連結する操作ノブ２０）は、ハウジングに対して前後方向に移動可能に取り付けられる。
【００２７】
図２は、図１のスイッチ装置１０を前方（操作ノブ２０側）から見た正面図であり、図３は、操作ノブ２０の背面図であり、図４は、図２のスイッチ装置１０のｉ−ｉ線における断面図である。図１〜図４に示すように、操作ノブ２０は、左右に長手方向を有する板状形状を有し、より詳しくは、スライダ３０側に凹部を有するトレイ型の形状を有する。
【００２８】
操作ノブ２０は、表面（前方側の面）の略中心部分に被照射領域２２を有する。この被照射領域２２は、光を照射すべき領域であって、例えば、スイッチ装置１０によってスイッチがオンされる機能に対応する図形、文字、記号等のオブジェクト（シンボル）２６が表示される位置を含む。本実施形態の被照射領域２２は、図１、２に示すように、ハザードランプのスイッチ（ハザードスイッチ）に対応する図形がオブジェクト２６として表示されている。
【００２９】
図３に示すように、操作ノブ２０は、背面（後方側の面、スライダ３０側の面）の略中心部分に３つの凸レンズ２４が全体として略正三角形状となるように配置されている。凸レンズ２４は、後方向（スライダ３０の方向）に突出する半球レンズとして構成されている。
【００３０】
操作ノブ２０は、例えば、透明又は半透明の樹脂で形成されており、表面及び側面（上下左右の面）は遮光性の塗料で塗装されている。
【００３１】
スライダ３０は、図１に示すように、前後に長手方向を有する略直方体の形状を有する。スライダ３０の左右の側面には、前後方向に延びる一対のリブ３２が形成されている。当該リブ３２は、図示しないハウジングのガイドレールによって動きが規制され、この結果、スライダ３０は、前後方向に移動可能となるようにハウジングに支持される。なお、リブ３２を、スライダ３０の上下の側面にもさらに形成し、十字型のリブとして構成することも可能である。
【００３２】
図４に示すように、スライダ３０は、内部に導光路３４が形成された筒状の部材である。導光路３４は、回路基板４０側の第１の開口３６と、操作ノブ２０側の第２の開口３８と、を有し、スライダ３０の内周面３３によって画定されている。導光路３４は、第１の開口３６から第２の開口３８に近づくほど細くなる形状（テーパー形状）を有する。導光路３４は、回路基板４０上に配置された後述する光源４２からの光を内周面３３で反射しながら被照射領域２２に導く導光路として機能する。
【００３３】
第２の開口３８は、被照射領域２２が第２の開口３８に対向する位置となるように操作ノブ２０によって塞がれている。この結果、操作ノブ２０の背面に設けられた３つの凸レンズ２４が、第２の開口３８を塞いでいる。操作ノブ２０とスライダ３０とは、図示しないフック機構によって固定されている。
【００３４】
図５は、図４のスイッチ装置１０のｉｉ−ｉｉ線における断面図であり、図６は、図４のスイッチ装置１０のｉｉｉ−ｉｉｉ線における断面図である。図５及び図６から明らかなように、導光路３４は、導光方向（第１の開口３６から第２の開口３８に向かう方向）に対して略直交する断面が略円形である。当該断面は、第１の開口３６から第２の開口３８に近づくほど径が小さくなる。このように、導光路３４は、第２の開口３８を上底とし、第１の開口３６を下底とする略円錐台の形状を有する空洞と言うこともできる。なお、導光路３４を、断面が略楕円形となるように形成することもできる。
【００３５】
このように、スライダ３０は、略直方体の部材に、第１の開口３６から第２の開口３８に近づくほど細くなる導光路３４が形成された形状を有するから、図４に示すように、その肉厚は、第１の開口３６から第２の開口３８に近づくほど厚くなる。
【００３６】
スライダ３０は、遮光性の樹脂で形成されている。例えば、スライダ３０は、高い遮光性を有する黒色又は白色の樹脂で形成されている。また、スライダ３０の内周面３３は、鏡面加工が施されている。
【００３７】
図７は、図１のスイッチ装置１０の回路基板４０を前方（スライダ３０側）から見た正面図である。図７において、スライダ３０及び第１の開口３６の位置が破線で示されている。図７に示すように、回路基板４０の略中心に光源４２が配置されており、光源４２の左上の位置に第１のスイッチ４４ａが配置されており、光源４２の右下の位置に第２のスイッチ４４ｂが配置されている。光源４２、第１のスイッチ４４ａ及び第２のスイッチ４４ｂは、同一の直線上に配置され、第１のスイッチ４４ａ及び第２のスイッチ４４ｂは、光源４２までの距離が略等しい。第１のスイッチ４４ａ及び第２のスイッチ４４ｂは、タクタイルスイッチとして構成されている。
【００３８】
光源４２は、例えば、ＬＥＤによって構成される。図７に示すように、光源４２は、第１の開口３６の略中心に対応する位置（即ち、導光路３４の軸と回路基板４０との交点）に配置されている。
【００３９】
第１のスイッチ４４ａ及び第２のスイッチ４４ｂは、同一の機器に対するスイッチとして機能する。例えば、本実施形態のスイッチ装置１０においては、第１のスイッチ４４ａ及び第２のスイッチ４４ｂは、共にハザードスイッチとして機能し、少なくともいずれか一方が押されてオンされると、ハザードランプが動作するように構成されている。図７に示すように、第１のスイッチ４４ａ及び第２のスイッチ４４ｂは、スライダ３０の端部（端面）のうち、第２の開口３８を除く領域（導光路３４が形成されていない領域）に対応する位置に配置されている。具体的には、第１のスイッチ４４ａ及び第２のスイッチ４４ｂは、スライダ３０の端部の第１の位置３９ａ（図７において一点鎖線の円として示す）に対応する位置に配置されており、第２のスイッチ４４ｂは、スライダ３０の端部の第２の位置３９ｂ（図７において一点鎖線の円として示す）に対応する位置に配置されている。
【００４０】
したがって、操作ノブ２０の押下操作に応じてスライダ３０が移動すると、第１のスイッチ４４ａがスライダ３０の端部の第１の位置３９ａによって押され、第２のスイッチ４４ｂがスライダ３０の端部の第２の位置３９ｃによって押される。第１の位置３９ａ及び第２の位置３９ｂは、スライダ３０の端部の中心を基準として点対称の関係にあるから、例えば操作ノブ２０の中心から離れた位置を押下操作された場合であっても、第１のスイッチ４４ａ及びスイッチ４４ｂの少なくとも一方は押され、第１のスイッチ４４ａ及びスイッチ４４ｂの両方が押されない場合は生じ難い。そして、スイッチ装置１０は、第１のスイッチ４４ａ及びスイッチ４４ｂの少なくともいずれか一方が押されてオンされるとハザードランプが動作するように構成されているから、操作者は、より確実にハザードランプのオン／オフ操作を行うことができる。
【００４１】
次に、このように構成されたスイッチ装置１０の照光時の作用について説明する。図８は、図４のスイッチ装置１０において光が導光される様子を模式的に示す図である。図８に示すように、回路基板４０上に配置されている光源４２からの光は、導光路３４の第１の開口３６に入射する。第１の開口３６に入射した光は、遮光性の樹脂で形成されており、かつ、鏡面加工されている内周面３３で効率的に反射されて第２の開口３８に導かれる。そして、第２の開口３８に導かれた光は、凸レンズ２４の集光作用によって被照射領域２２へと集光される。
【００４２】
このように、スイッチ装置１０は、被照射領域２２に対向する第２の開口３８に光を導く導光路３４が第１の開口３６から第２の開口３８に近づくほど細くなるから、効率的に被照射領域２２に光を導くことができる。この結果、被照射領域２２における輝度ムラを低減し、適切な輝度を実現することができる。
【００４３】
また、スイッチ装置１０は、第２の開口３８を塞ぐ部分に設けられた凸レンズ２４が光を集光するから、被照射領域２２における輝度ムラをより一層低減し、適切な輝度を実現することができる。
【００４４】
本発明は上述した実施形態には限定されない。すなわち、当業者は、本発明の技術的範囲又はその均等の範囲内において、上述した実施形態の構成要素に関し、様々な変更、コンビネーション、サブコンビネーション、並びに代替を行ってもよい。
【００４５】
例えば、操作ノブ２０が有する凸レンズの数、配置及び形状（レンズアレイの態様）は、上述した実施形態に限定されず、様々な変更が可能である。図９〜図１８は、レンズアレイの様々な変形例を示す。いずれのレンズアレイを採用するかはオブジェクト２６の形状等によって適宜決定する。
【００４６】
図９に示すレンズアレイは、上述した実施形態の凸レンズ２４よりも大きい単一の凸レンズ２４ａにより構成される。
【００４７】
図１０に示すレンズアレイは、上述した実施形態の凸レンズ２４よりも大きく図９の凸レンズ２４ａよりも小さい７つの凸レンズ２４ｂにより構成され、中心の１個の凸レンズ２４ｂの周囲を６個の凸レンズ２４ｂが囲うように配置されている。
【００４８】
図１１に示すレンズアレイは、２４個の上述した実施形態と同じ凸レンズ２４により構成され、全体として略六角形状に配置されている。
【００４９】
図１２に示すレンズアレイは、上述した実施形態の凸レンズ２４よりも小さい５６個の凸レンズ２４ｃにより構成され、これらの凸レンズ２４ｃが８行ｘ７列のタイル状に配置されている。
【００５０】
図１３に示すレンズアレイは、４個の図１０の凸レンズ２４ｂと３個の図１２の凸レンズ２４ｃとによって構成され、略正方形状に配置された４個の凸レンズ２４ｂの中心及び上下中央に３個の凸レンズ２４ｃそれぞれが隣接して配置されている。このように、大きさの異なる複数の凸レンズによってレンズアレイを構成することも可能である。
【００５１】
図１４に示すレンズアレイは、１６個の上述した実施形態と同じ凸レンズ２４と９個の図１２の凸レンズ２４ｃとによって構成され、略正方形状に配置された１６個の凸レンズ２４間の隙間を９個の凸レンズ２４ｃそれぞれが埋めるように配置されている。
【００５２】
図１５に示すレンズアレイは、３個の略六角形状の凸レンズ２４ｄによって構成され、これらの凸レンズ２４ｄがハニカム構造となるように配置されている。
【００５３】
図１６に示すレンズアレイは、図１５の凸レンズ２４ｄよりも小さい略六角形状の７個の凸レンズ２４ｅによって構成され、これらの凸レンズ２４ｅがハニカム構造となるように配置されている。具体的には、中心の１個の凸レンズ２４ｅの周囲を６個の凸レンズ２４ｅが囲うように配置されている。
【００５４】
図１７に示すレンズアレイは、図１６の凸レンズ２４ｅよりも小さい略六角形状の１７個の凸レンズ２４ｆによって構成され、これらの凸レンズ２４ｆがハニカム構造となるように配置されている。具体的には、横方向に並ぶ３個の凸レンズ２４ｆによって構成される３つのレンズラインの間に、横方向に並ぶ４個の凸レンズ２４ｆによって構成される２つのレンズラインが配置されている。
【００５５】
図１８に示すレンズアレイは、図１７の凸レンズ２４ｆよりも小さい略六角形状の２７個の凸レンズ２４ｇによって構成され、これらの凸レンズ２４ｇがハニカム構造となるように配置されている。具体的には、横方向に並ぶ５個の凸レンズ２４ｇによって構成される３つのレンズラインと、横方向に並ぶ４個の凸レンズ２４ｇによって構成される３つのレンズラインとが、交互に隣接して配置されている。
【００５６】
このように、レンズアレイは様々な態様とすることができる。例えば、被照射領域２２の大きさ、形状、あるいは、被照射領域２２に表示されるオブジェクト２６の形状等に応じて、必要な部分に適切な輝度が実現されるように、凸レンズの数、配置及び形状等は、適宜に変更される。
【００５７】
また、凸レンズは、必ずしも操作ノブ２４に設ける必要はなく、スライダ３０に設けても良い。さらに、凸レンズを設けなくても構わない。
【００５８】
また、回路基板４０上に設けられる光源４２及びスイッチの数及び配置は、上述した実施形態に限定されず、様々な変更が可能である。例えば、第１のスイッチ４４ａ及び第２のスイッチ４４ｂをいずれか一方のみとすることができる。
【００５９】
また、第１のスイッチ４４ａ及び第２のスイッチ４４ｂに加えて、光源４２の右上に位置する第３のスイッチ及び／又は光源４２の左下に位置する第４のスイッチを設けることも可能である。上述した実施形態のスライダ３０の回路基板４０側（光源４２側）の端部は、略円形の第２の開口３８を除く四隅の部分の面積が比較的大きいから、スイッチの数及び配置に関する自由度が高い。
【００６０】
また、スライダ３０及び導光路３４の形状は、上述した実施形態に限定されず、様々な変更が可能である。例えば、スライダ３０を略円筒形状の部材としても良いし、導光路３４を、その断面が非円形（例えば、多角形）となるような形状としても良い。
【００６１】
また、本発明の照光装置は、上述した実施形態のスイッチ装置１０以外の装置に適用することも可能である。つまり、本発明の照光装置は、スイッチの機能を有する装置に限定されない。
【産業上の利用可能性】
【００６２】
本発明は、車両に搭載される照光装置及びスイッチ装置に適用可能である。
【符号の説明】
【００６３】
１０…スイッチ装置（照光装置）
２０…操作ノブ（被照射部材）
２２…被照射領域
２４、２４ａ−ｇ…凸レンズ
２６…オブジェクト
３０…スライダ（導光部）
３３…内周面
３４…導光路
３６…第１の開口
３８…第２の開口
３９ａ…第１の位置
３９ｂ…第２の位置
４０…回路基板
４２…光源
４４ａ…第１のスイッチ
４４ｂ…第２のスイッチ
【図１】
2017123256.tif 000003
【図２】
2017123256.tif 000004
【図３】
2017123256.tif 000005
【図４】
2017123256.tif 000006
【図５】
2017123256.tif 000007
【図６】
2017123256.tif 000008
【図７】
2017123256.tif 000009
【図８】
2017123256.tif 000010
【図９】
2017123256.tif 000011
【図１０】
2017123256.tif 000012
【図１１】
2017123256.tif 000013
【図１２】
2017123256.tif 000014
【図１３】
2017123256.tif 000015
【図１４】
2017123256.tif 000016
【図１５】
2017123256.tif 000017
【図１６】
2017123256.tif 000018
【図１７】
2017123256.tif 000019
【図１８】
2017123256.tif 000020